(57)【要約】      （修正有）【課題】現在の測定方法は物差し、ノギスなどの測定方法では造形に興味を持ち、造形の美学に進む多くの人が構造物の基礎となる中心線から制作する両側面の測定を簡単に正確に瞬時に測定できる計測器を提供する。【解決手段】ある幅と厚みをもつ長尺状の本体ゲージ１に計測目盛３を入れ、測定本体４を左右に設け、指針装着部を本体ゲージ１中央部に装着し指針６を設けることで、指針６を構造物の基本の中心線に当て、その両側面の測定箇所に測定先端７を当てることが簡単にでき、中心線からの両側面の寸法と高さを正確に確認することが出来る。【選択図】図１
2011174923.tif 000002
【特許請求の範囲】
【請求項１】
ある巾と厚み、長さを持つ直尺状の本体ゲージ中央部に原点を設け、その位置を基準線としその基準線から左右長手方向に沿って互いに逆方向の目盛を設け、物を測る測定本体が基準線の左右に個々に装着し、測定本体は平行に本体ゲージの目盛に沿って独立して移動することができ、本体ゲージの基準線の位置に指針装着部を設け、指針は本体ゲージの基準線を垂直に直進し、測定本体の測定先端に平行に移動することができる構造を有することで、立体の構造を持つ、能面、彫塑、仏像彫刻など制作に必要とする中心線から左右の測定位置を確実に計測しながら製作を進めることができることを特徴とする計測器。
【請求項２】
前記基準線の位置に装着する指針の長さは、測定本体と両測定先端の長さと同一寸法でその正面と裏面に測定目盛を設け、基準線の位置は指針先端から測定指示の位置に基準線を設け、その位置から互いに逆方向の目盛を備えている指針を特徴とする計測器。
【請求項３】
前記測定本体は、本体ゲージの巾を鞘状に装着され、計測する測定先端は測定本体の両先端に有し、本体ゲージ側面から測定本体先端までの両先端は異なった寸法で本体ゲージに装着され、指針装着部に挿入されている指針の挿入を差し替えることができ、計測する構造物の中心線からの巾、高さの異なった場所などの使い分けることが出来ることを特徴とする計測器。
【発明の詳細な説明】
【技術分野】
【０００１】  本発明は、立体的の構造を持つ能面、彫塑、仏像彫刻などの制作するための基本となる高さ、巾のある立方体、長方体の面に中心線と制作する図案を描き、また、彫塑は中心線から粘度を盛り上げながら徐々に形を作る工程で、何れも制作を始めて制作が進むにつれ、山形の高い位置や低い位置に変化していき、中心線の正面、左右側面なども同じ用に多様な形の面に変化する状態を中心線から見て、左右両側面の測定箇所を幾度も正確に測定でき完成に繋げていくことが出来る計測器に関するものである。
【背景技術】
【０００２】  従来の測定は、木彫、石造彫刻など立方体、長方体の造形材の平面に中心線、そして製作する構図を描き製作を彫刻刃、ノミなどを用いて彫るか、また、粘土などを用いて造形物の形付けする場合も、同じように中心線か左右側面を見ながら形を整えていく、段階で中心線も両側面にも高低差ができて、その状態で中心線からの両側面の測定は、物差し、コンパス、ノギスを用いての測定は難しく、使うには経験を積むことと目視とによって制作を行っている状態である。【０００３】  そして、造形のある彫刻など制作する測定器具は、物差し、ノギスの使う用途も限られ制作前の造形材に基本の中心線、図案描くときなどに物差しを用いるが制作する段階で、造形物の高さの測定位置に物差し、ノギス、トースカンを組み合わせることで、高さの位置の測定が出来るが、前記に記載した通り中心線の両側面の巾は、測定器具を組み合わせても寸法を測定する方法は難しく経験を積むことによって制作を行っている状態である。
【発明の概要】
【発明が解決しようとする課題】
【０００４】  従来の物差し、ノギスなどの測定方法では造形が基本とする中心線からの左右の巾は、制作するに従い高低差が付き、中心線と左右両面が多様な凹凸側面に変わり中心線と測定箇所の巾、高さ、外形寸法を直接測定することができなかった。【０００５】  本発明は、上記課題を解決するもので、造形の制作が進む段階で四方の描かれた面の中心線を含め徐々に高低差ができ、左右側面も複雑な凹凸、傾斜などの形に変わり、中心線からの両側面の巾と高さ差の差ができ、その中心線上に物差しを水平に置き、両面の測定箇所の巾と高さを調整しながら目視で物差しの目盛を計測することなく、直接計測器を用いて寸法を測定できる計測器を提供することを目的とするものである。
【課題を解決するための手段】
【０００６】  本発明は、上記目的を達成するために、ある巾と厚み、長さを持つ直尺状の本体ゲージ中央部に原点を設け、その位置を基準線としその基準線から左右長手方向に沿って互いに逆方向の目盛を設け、物を測る測定本体が基準線の左右に個々に装着し、測定先端は平行に本体ゲージ目盛に沿って独立して移動することができ、本体ゲージの基準線の位置に指針装着部を設け、指針先端は基準線を垂直に直線に移動でき、測定本体の測定先端に平行に上下に移動することを特徴としている。【０００７】  また、基準線の位置に装着する指針の長さは、測定本体の両測に持つ測定先端の位置の長さと同一寸法で、その指針正面と裏面に測定目盛を設け、その指針目盛は測定指示の位置から指針先端と測定指示の位置を基準線の目盛を設け、その位置より互いに逆方向の目盛を設けている指針を装着していることを特徴としている。【０００８】  そして、本体ゲージ基準線に装着した指針装着部によって、指針装着部に挿入されている指針は指針装着部の挿入口を替えて挿入することが出来、指針を取出し反対の指針装着部からも挿入することができ、測定本体の測定先端は本体ゲージ両側面から、それぞれの両測定先端までの寸法の違いを持つことで、製作過程での中心線から計測する箇所の巾と、巾の高低差によって計測の使い分けができることで、計測位置と本体ゲージとの距離間と手振れがなく測定が出来ることを特徴としている。
【発明の効果】
【０００９】  上述したように本発明の計測器は、本体ゲージの両端部を手で軽く持って、測定本体を親指と人差し指で移動させながら計測する位置に計測先端部を当て、指針のツマミを中心線に指針先端部の先を移動させ、測定本体左右の本体ゲージ目盛りを読むことで中心線と測定箇所の巾寸法を確認することが出来、中心線と測定箇所の高さの確認をする場合は、指針装置部に装着された測定指示で指針目盛を確認することが出来る。【００１０】  また、本体ゲージに装着している測定本体の長い測定先端の方に、指針先端が指針装着部に挿入してある指針を裏返しにして測定先端部の短い方に指示先端部を挿入することで測定先端までの長さの違いが出来、制作する造形の大きさの違いによっても使いわけが出来、指針の正面と裏面に目盛を装着することによって、構造物の中心線からの計測する箇所の巾と高さを同時に確認しながら造形物の制作を進めることができる。【００１１】  上記の様な、計測器の構造よって色々の造形を持つ構造であっても、左右測定部の使い方で中心線が山形などの高低ある構造物であっても、中心線に指針先端を当て、測定先端を当てることで製作段階の寸法を確認しながら確実に製作が速やかに出来、従来の中心線に物差しを置いての目測で無く、計測器を用いて簡単に計測することが可能となる計測器である。
【図面の簡単な説明】
【００１２】
【図１】  正面図
【図２】  背面図
【図３】  正面側面図
【図４】  右側面図
【図５】  指針目盛の記載した正面図
【図６】  左右測定部の移動した正面図
【図７】  左右測定部を移動し指針装着部の指針の挿入差し替え図
【図８】  計測器を用いた頭横幅の測定図
【図９】  計測器を用いた鼻の高さの測定図
【発明の実施するための形態】
【実施例１】
【００１３】  以下、本発明の実施の形態を図１〜図７に基づいて説明する。【００１４】  図１〜図は本体構成図で、本体ゲージ１は、ある巾と厚み、長さを有し直尺状中央部に原点を設けその位置を基準線２として、その位置を基準線２としその基準線２から左右長手方向に沿って互いに逆方向の目盛３を設け、物を測る測定本体４が基準線２の左右に個々に装着し、測定本体４は平行に本体ゲージ１の目盛に沿って独立して移動することができ、本体ゲージ１の基準線２の位置に指針装着部５を設け、指針６は本体ゲージ１の基準線２を垂直に直進し、測定本体４の測定先端７に平行に移動することができる計測器。【００１５】  そして、前記基準線２の位置に装着する指針６の長さは、測定本体４の両測定先端７の長さと同一寸法で、その正面と裏面に測定目盛３を設け、基準線２の位置は指針先端８から測定指示９の位置に基準線２を設け、その位置から互いに逆方向の目盛３を備えている。【００１６】  前記、測定本体４は、本体ゲージ１の巾を鞘状に装着され、計測する測定先端７は測定本体４の両先端の位置に有し、本体ゲージ１側面から測定本体４の両先端は異なった寸法で、本体ゲージ１に装着され、指針装着部５に挿入されている指針６の挿入を差し替えることで、計測する構造物の中心線からの巾、高さの異なった場所などの使い分けることが出来る。【００１７】  測定本体４と指針装着部５内面に装着している板バネ１１は移動の強弱を調整し、外部に装着している止ネジ１２は、測定本体４と指針６の測定位置の移動を固定することができる。
【実施例２】
【００１８】  図８〜図９は計測器による造形を用いた測定の実施について説明する。
図８は、頭の横幅の寸法を測定する図で測定する側面の測定位置に、本体ゲージ１の測定本体４を頭の側面に近づけ測定先端７を当てながら、指針６を中心線に当て、中心線からの両側面の幅を測定した値は本体ゲージ１と測定本体４の側面の目盛３を見ることで、頭の横幅両側面を測定することが出来る。【００１９】  図９は、鼻の幅と高さの測定で、測定する箇所は鼻の巾が狭く、高さの測定を図９で示すように本体ゲージ１に装着している測定本体４の長い測定先端７の方に、指針先端７が指針装着部５に挿入してある指針６を裏返しにして短い測定先端７に向かって挿入することで、中心線から両小鼻の幅の測定は測定本体４の測定先端７の長さを変えることで測定先端４と構造物の測定位置が近くなり、簡単に中心線からの両小鼻の幅と高さの寸法を本体ゲージの目盛と指針の目盛で確認することが出来る。【００２０】  以上のように、本実施形態による構造物の中心線、その左右側面の形状が多様に変わった状態でも中心線と、その左右側面の任意の測定箇所を容易に測定ができるものである。
【産業上の利用可能性】
【００２１】  立体の構造を持つ造形の基本である立て方向の中心線から左右側面の測定できる測定器具は現在も無く、彫刻教室、学校などの教育現場では物差し、コンパスなどを用いての測定で経験と目視で彫刻を行っている状態の教育であって、直接中心線から両側面の測定が出来れば彫刻の制作に正確な寸法取りが出来ることで貢献でき需要者に供給することが出来る。
【符合の説明】
【００２２】１  本体ゲージ
２  基準線
３  目盛
４  測定本体
５  指針装着部
６  指針
７  測定先端
８  指針先端
９  測定指示
１０  ツマミ
１１  板バネ
１２  止ネジ
【図１】
2011174923.tif 000003
【図２】
2011174923.tif 000004
【図３】
2011174923.tif 000005
【図４】
2011174923.tif 000006
【図５】
2011174923.tif 000007
【図６】
2011174923.tif 000008
【図７】
2011174923.tif 000009
【図８】
2011174923.tif 000010
【図９】
2011174923.tif 000011
【手続補正書】
【提出日】平成23年4月26日(2011.4.26)
【手続補正１】
【補正対象書類名】明細書
【補正対象項目名】全文
【補正方法】変更
【補正の内容】
【発明の詳細な説明】
【技術分野】
【０００１】  本発明は、彫刻などの造形に用いる測定器で、材料に描いた中心線と図案が制作を進めていく段階で多様に変化する造形の構図を、仕上げまでには何回も図案の確認を中心線から左右側面の個々の測定場所の巾と高さを同時に簡単正確に測定することが出来る測定器に関するものである。
【背景技術】
【０００２】  従来の測定は、材料の平面に物差し、ノギスなどを用いて中心線、図案を描き制作を進める段階で行う図案確認は、中心線の上に物差しをあてがいながら図案の測定箇所と平行になるように高さの調整をし、測定箇所と物差しの目盛が交差する位置の目盛を目視で読み、中心線と測定箇所の寸法を確認する方法か、また、ノギスを用いた測定は、造形の中心線をまたぐように両側面の測定箇所にノギスの測定先端を当て、測定箇所と中心線が水平になるようにして測定を行う状態で何れも目視と経験が必要とした。【０００３】  そして、制作する彫刻の高さの測定は、物差し、トースカンを組み合わせることで、制作する段階ごとに図案の任意の高さを測定することはできるが、造形の縦の中心線から両側面の測定箇所の巾、高さの測定は色々の測定器を組み合わせても測定する方法は無く、まして初心者には、ノギス、物差しなどの測定は目視を必要とするために時間を費やし難しく、制作の段階ごとに測定し経験を積み重ね造形の制作を行っている状態である。
【発明の概要】
【発明が解決しようとする課題】
【０００４】  従来の物差し、ノギスなどの測定方法では造形が基本とする中心線からの左右の巾は、制作するに従い中心線と左右両側面が多様な凹凸面に変わり、中心線からの測定箇所の個々の巾、高さ、外形までの寸法を直接測定することができなかった。【０００５】  本発明は、上記課題を解決するもので、造形の制作が進む段階で縦方向に描かれた中心線を含め図案も徐々に高低差ができ、左右側面も複雑な凹凸、傾斜などの形に変わり、中心線からの両側面の巾と高さの差ができ、その中心線上に物差しを置き、測定箇所と中心線と水平になるように高さの調整をしながら、測定箇所と物差しの目盛が重なる位置を目視で測定することなく、直接測定器を用いて寸法を測定できる測定器を提供することを目的とするものである。
【課題を解決するための手段】
【０００６】  本発明は、上記目的を達成するために、ある巾と厚み、長さを持つ直尺状の本体ゲージ中央部を原点とし、その位置を基準線にして基準線から左右長手方向に沿って互いに逆方向の目盛を設け、その本体ゲージに物を測る測定本体が基準線の左右に個々に装着し、測定本体は両側面に測定部を持ち、本体ゲージ目盛に沿って平行に独立して移動することができ、そして、本体ゲージの基準線の位置に指針装着部を設け、指針装着部に指針を装着し、その指針先端は、本体ゲージの基準線の位置を指針先端が代わって、基準線を垂直に上下移動することができることで測定がきる。【０００７】  指針装着部に装着する指針の長さは、指針先端からツマミの基までの長さで、その長さは、測定本体と両側面に接する測定部の両測定先端間の全長の長さと同一寸法で、その指針の前面と裏面に基準線からなる目盛を設け、その基準線の位置は、指針の長さの２分の１の位置を基準線とし、基準線より指針先端とツマミ方向に逆方向の目盛を備え、本体ゲージに装着している測定本体の測定部測定先端と指針装着部に装着された指針先端を合わせ、指針の基準線の位置に指針装着部の指針指示を設けることで指針の目盛を確認することで測定ができる。【０００８】  測定本体の両測定部は、異なった長さで構成され、その測定本体を本体ゲージの左右に装着し、その違いを持った測定部の使い分けは、造形の制作内容で造形と測定器の距離間をなくすために、指針装着部に挿入されている指針を指針挿入口から取り出し、取り出した反対の指針装着部の指針挿入口から指針を挿入することで、今までの使用していた測定部と長さの異なった測定部を用いることができ、測定する測定箇所に合わせた測定部の使い分けを行うことで、造形と測定部との距離間をなくすことが出来ることで測定し易く手振れがなく測定が出来る。
【発明の効果】
【０００９】  上述したように本発明の測定器は、測定を行う造形の測定箇所と中心線が平行になるようにして、本体ゲージの両端部を両手で軽く持って、指針先端を造形の中心線に当てるように指針のツマミを軽く持って移動し、指針先端を中心線に当て、中心線の両側面の測定箇所に測定本体の測定部を移動させながら、測定する位置に測定先端を当てることで、中心線と測定箇所の両側面の２箇所の測定巾を同時に測定することができ、その測定値は、測定本体の左右側面指示と本体ゲージの目盛が交差した位置の目盛で確認することができ、そして中心線と両測定箇所の高さの測定確認は、指針装置部に装着された指針指示と交差した指針の目盛を確認することで、中心線から両側面の測定箇所と高さを同時に測定ができる。【００１０】  そして本体ゲージに設けている指針装着部に挿入している指針を、指針のツマミを持って指針装着部より取り出し、取り出した反対側の指針装着部の指針挿入口より指針を挿入することで、本体ゲージに装着している測定本体両側面に設けた測定部の異なった長さの測定部に合わせることができ、制作する彫刻の大きさ、巾、高さの違いによって、測定部の測定先端の長さの使いわけができ、測定箇所と測定部を近づけることによって手振れも無く簡単に測定ができる。【００１１】  また、測定本体両側面の測定部は長さの異なる寸法を有し、その片側の長い測定部と同じ側面に設けている指針装着部の指針指示の位置は、測定本体の両測定部測定先端の長さの中間の位置にすることで、指針の長さと測定本体と両測定部の長さは同一寸法であるからして、指針に設ける目盛の基準線の位置を指針中間に置くことができ、指針装着部に装着されている指針を指針挿入口より取り出し、反対の指針挿入口より指針を挿入しても、目盛は同一目盛を使用することができ、指針指示の位置も同じ箇所を使用し、指針の差し替える時も、目盛の表示確認をその都度心配すること無く測定ができる。【００１２】  上記のように、特徴を持った構造の測定器を用いることによって、彫刻の制作が進む段階ごとに、必要な中心線の両側面が多様な形の傾斜や高低差のある面に変化した造形であっても、測定する箇所の中心線に指針先端を当て、測定箇所の左右の位置に測定本体側面に装着している測定部測定先端と測定側面をそれぞれの測定箇所に当て、中心線から両測定箇所までの測定値を、左右測定本体の側面指示と本体ゲージの目盛で確認することができ、中心線と左右側面の測定箇所の高さは、指針指示の位置と交差した指針の目盛で高さの確認ができ、彫刻の製作が進む段階ごとに寸法を確認することができ、確実に完成まで速やかに測定ができる。
【図面の簡単な説明】
【００１３】
【図１】正面図
【図２】指針装着部の指針挿入差し替えた正面図
【図３】背面図
【図４】指針を取り外した正面側面図
【図５】右側面図
【図６】指針正面図
【図７】顔の中心線から両巾側面と頭の側面の中心線から額の高さの測定図。
【図８】頭の側面の中心線から額と後頭部の巾測定図
【図９】顔の中心線から鼻の両側面と高さの測定図
【発明の実施するための形態】
【実施例１】
【００１４】  以下、本発明の実施の形態を図１〜図６に基づいて説明する。
図１〜図６は本体の構成図で、図１〜図２は本体ゲージ１から成る、ある巾と厚み、長さを有し、直尺状の中央部に原点を設け、その位置を図１、図２で示すように基準線２ａとし、その基準線２ａから左右長手方向に沿って互いに逆方向の目盛３ａを設け、物を測る測定本体４ａ・４ｂが基準線２ａの左右に個々に装着し、測定本体４ａ・４ｂはそれぞれ両側面に測定部１５ａ・１５ｃと１５ｂ・１５ｄを備え、左右平行に本体ゲージ１の目盛３ａに沿って独立して移動することができる。【００１５】  そして、図３のように背面に指針装着部７を、図１と図２の基準線２ａの位置の背面に設け、その指針装着部７は、図２に示す位置に指針指示１０ａ・１０ｂと指針挿入口１６ａ・１６ｂを本体ゲージ１の基準線３ａの両側面に備え、図１に於いては、指針装着部７の指針指示１０ａの位置を測定本体４ａ・４ｂの測定部１５ａ・１５ｂと同じ上部方向に指針指示１０ａを設け、その指針装着部７には指針を挿入する挿入口１６ａ・１６ｂを上下に備え、図１図２何れも指針を装着し移動を行うことができ、指針８の指針先端９は、本体ゲージ１の基準線２ａに沿って垂直に上下移動することで、指針先端９は基準線２ａの位置を垂直に保ち、左右測定部１５ａ・１５ｂ測定側面５ａ・５ｂと平行に沿って指針８は移動することができ、中心線から両側面の測定箇所を測定することができる。【００１６】  その指針装着部７に装着する図６の指針８は、片側に指針先端９とその反対側にツマミ１１を有し、測定の目盛３ｂを設け、ツマミ１１を除いた指針８の長さは図１に示すように、左右測定本体４ａ・４ｂ両側面に設けている測定部１５ａ・１５ｃと１５ｂ・１５ｄの測定先端５ａ・５ｃと５ｂ・５ｄの全長の長さと同一寸法で、その測定本体４ａ・４ｂ側面上部の測定部１５ａ・１５ｂの測定先端５ａ・５ｃと５ｂ・５ｄから全長の長さの２分の１の位置に指針装着部７の指針指示１０ａを設けることで、指針８の基準線２ｂは全長の長さ２分の１の位置に同じように設けることができ、指針装着部７に指針８を差し替えする時も同一目盛３ｂと指針指示１０ａの位置を変えることなく同一の目盛３ｂを読み取ることができる。【００１７】また、図２の本体ゲージに装着されている左右測定本体４ａ・４ｂ側面の下部測定部１５ｃ・１５ｄの測定先端５ｃ・５ｄと指針先端９を合わせ、指針８を挿入している指針装着部７の指針指示１０ｂの位置を、指針８の目盛３ｃの基準線２ｃの位置とし、そして左右測定本体４ａ・４ｂ側面の上部測定部１５ａ・１５ｂ測定先端５ａ・５ｂと指針先端９を合わせるには、指針装着部７に挿入している指針８を取り出し、裏返しにして挿入口１６ｂを１６ａに差し替えて挿入し、指針先端９と左右測定部１５ａ・１５ｂ測定先端５ａ・５ｂと合わせたその位置から、指針８の挿入している指針装着部７の指針指示１０ａの位置を指針８の基準線２ｂとし、その位置より逆方向の目盛３ｂを有し、そして指針８の両面に目盛３ｂ・３ｃを備えた特徴ある測定器。【００１８】  図１に示すように、本体ゲージ１に装着している左右測定本体４ａ・４ｂは、上部側面の測定部１５ａ・１５ｂ測定先端５ａ・５ｂまでの長さと、下部側面の測定部１５ｃ・１５ｄ測定先端１５ｃ・１５ｄまでの長さが異なった寸法の測定部１５ａ・１５ｂと１５ｃ・１５ｄを上下に設け、制作する造形の変化によって上下測定部の測定の使い分けができ、指針装着部７に装着している指針８のツマミ１１を持って取り出し、指針装着部７の指針挿入口１６ａを変えて指針８を挿入することで、左右測定本体４ａ・４ｂの下側の測定部１５ｃ・１５ｄ両測定先端５ｃ・５ｄを使用することができ、図１の測定先端５ａ・５ｂと異なった長さの使い分けが出来る構造で、測定する造形の大小の巾、高さの測定が容易に出来る測定器。【００１９】  図３で示すように、本体ゲージ１装着する左右測定本体４ａ・４ｂと指針装着部７内面に装着している板バネ１２ａ・１２ｂ・１２ｃは、何れも測定本体と指針の移動の強弱を調整し、左右測定本体４ａ・４ｂ側面にある止ネジ１３ａ・１３ｂは、測定本体４ａ・４ｂの移動を固定することで、寸法の写し、測定値を確認することができ、また、指針装着部７の背面に止ネジ１３ｃを設け指針８の移動を固定し中心線からの両側面の測定箇所の高さの測定値を確認することができ、本体ゲージ１に装着されている左右の測定本体４ａ・４ｂと指針８の移動の調整と固定することを備えた測定器。
【実施例２】
【００２０】  図７〜図９は計測器を用いた造形の測定の実施について説明する。
図７は、顔の巾と額の高さの寸法確認を中心線から測定を行っている図で、本体ゲージ１を手で持って造形に左右測定本体４ａ・４ｂを移動しながら近づけて、額の中心線に指針のツマミを持て軽く指針先端９を当て、左右側面の測定箇所にある中心線の位置に測定部１５ａ・１５ｂ測定先端５ａ・５ｂと測定側面６ａ・６ｂを挟むようにして当て、本体ゲージ１の目盛３ａと左右測定本体４ａ・４ｂの側面指示１４ａ・１４ｂと交差した目盛３ａの数値を確認することで、中心線から両側面の巾を確認することができ、両側面の巾を加算することで顔の横幅寸法も確認でき、そして、左右側面の測定箇所にある中心線から額までの高さの測定値は、指針８の目盛３ｂと指針指示１０ａの交差した数値によって測定ができ、測定した数値が顔の中心線から見て左右対称寸法に制作されているか、高さの違いがあるか無いかを測定することができ、図案に描いた制作寸法を始めから段階的に完成まで中心線から簡単に測定確認をすることができる。【００２１】  図８は、造形の側面に描かれた中心線から、額と後頭部の巾の測定確認を行っている図で、上記記載と同じ測定方法であるが、この図は、中心線から見て左右対称寸法を求めず、中心線から額の寸法と後頭部のそれぞれの寸法の測定で、測定する額の側面の中心線の位置に指針先端９を当て、額の測定箇所と右側後頭部の測定箇所に左右測定部１５ａ・１５ｂと測定側面６ａ・６ｂを挟む用に当て、本体ゲージ１目盛３ａと交差した左右の測定本体４ａ・４ｂの側面指示１４ａ・１４ｂを読むことで中心線から額の測定寸法と後頭部の測定寸法の巾をそれぞれ確認し制作を行うことで、額から後頭部の巾の測定ができ、中心線からの左右測定箇所の測定確認しながら全体の制作を進めることができる。【００２２】  図９の実施例は、図２の測定器を用いて制作中の鼻の巾と高さの測定を行っている図で、鼻の中心線に指針先端９を当て、鼻の両側面の測定箇所に左右の測定先端５ｄ・５ｃと測定側面６ｄ・６ｃを挟むように当て、鼻の巾の測定は左右測定の側面６ｄ・６ｃと本体ゲージ目盛３ａと左右側面指示１４ｂ・１４ａと交差した位置の目盛３ａが、鼻の左右片側を中心線から測った巾の寸法で、また、鼻の高さは、測定箇所の左右測定先端５ｄ・５ｃと指針８の目盛３ｄと交差する、指針指示１０ｂの位置で鼻の高さの測定寸法を確認することができ、また、本体ゲージ１に装着している測定本体４ｄの左側を、基準線２ａの位置移動し止ビス１３ｂで測定本体を固定し、鼻の巾の左側面に測定側面６ｄを当て、そして右側の測定本体４ａを移動し、右側の鼻の側面に測定側面６ｃを当てることで鼻の巾の測定寸法を、本体ゲージ１の目盛２ａと側面指示１４ａの交差した位置で確認することができる。【００２３】  以上のように、実施形態による造形の図案の中心線から見て、左右側面の形状が多様に変化して行く測定条件であっても、実施図で示すように指針装着部７の指針８の使い方によって、左右測定本体４ａ・４ｂの両側面に装着している測定部１５ａ・１５ｂの、長さが異なった測定部１５ｃ・１５ｄを用いることで、造形の個々の測定内容よって、測定部１５ａ・１５ｂと１５ｃ・１５ｄの使い分を行うことができ、測定する箇所と測定部１５ａ・１５ｂと１５ｃ・１５ｄの間隔が近くなることで、測定がし易く、任意の測定箇所を容易に正確に測定をすることができ、実施例に示すように造形の中心線から巾、高さを同時に三箇所の測定を行うことができる測定器である。
【産業上の利用可能性】
【００２４】  学校の彫刻教室、彫刻愛好家のサークルなどの教育現場では、旧態変わらず物差し、ノギスとコンパスなどを用いた測定方法で、経験と目視の指導を行っている状態の教育であって、立体の構造を持つ、造形の基本である中心線から左右側面の測定ができる測定器具は現在も無く、本発明の測定器を用いることで、誰でもが直接中心線から両側面の測定が正確に出来ることで造形の制作に関心を持ち、初心から測定の苦労せずに造形に親しみを覚え学ぶことができ、これからの造形の制作を学ぶ多くの人に貢献でき需要者に提供することが出来る。
【符合の説明】
【００２５】１  本体ゲージ
２ａ・２ｂ  ２ｃ  基準線
３ａ・３ｂ・３ｃ  目盛
４ａ・４ｂ        測定本体
５ａ・５ｂ・５ｃ・５ｄ  測定先端
６ａ・６ｂ・６ｃ・６ｄ  測定側面
７  指針装着部
８  指針
９  指針先端
１０ａ・１０ｂ  指針指示
１１  ツマミ
１２ａ・１２ｂ・１２ｃ  板バネ
１３ａ・１３ｂ・１３ｃ  止ネジ
１４ａ・１４ｂ  側面指示
１５ａ・１５ｂ・１５ｃ・１５ｄ  測定部
１６ａ・１６ｂ  指針挿入口
【手続補正２】
【補正対象書類名】特許請求の範囲
【補正対象項目名】全文
【補正方法】変更
【補正の内容】
【特許請求の範囲】
【請求項１】
ある巾と厚み、長さを持つ直尺状の本体ゲージ中央部の平面に原点を設け、その位置を目盛の基準線とし、その基準線から左右長手方向に沿って互いに逆方向の目盛を設け、物を測定する測定本体の両側面に測定部を備え基準線の左右に個々に装着し、測定本体は平行に本体ゲージの目盛に沿って独立して移動することができ、本体ゲージの基準線の位置に指針装着部を設け、指針装着部には指針指示を備え指針を装着することができ、その指針の指針先端は、本体ゲージの基準線に沿って垂直に直進し移動することができ、測定本体の測定部側面に沿って、測定先端の先まで平行に移動することができることを特徴とする測定器。
【請求項２】
前記記載の測定本体は両側面に設けている測定部と一体となった、その測定部は測定側面と測定先端から構成され、測定本体側面の上下測定部は、それぞれ異なる長さの寸法を有し、本体ゲージに装着し、その本体ゲージに設けている指針装着部の両端部に指針指示と指針挿入口を備え、挿入する指針の長さは指針先端からツマミの基までの長さで、その長さは測定本体と両側面の測定部測定先端までの全長の長さと同一寸法で、その指針正面と背面に目盛と基準線を設け、基準線の位置より逆方向の目盛を備えた特徴ある測定器。
【手続補正３】
【補正対象書類名】図面
【補正対象項目名】全図
【補正方法】変更
【補正の内容】
【図１】
2011174923.tif 000012
【図２】
2011174923.tif 000013
【図３】
2011174923.tif 000014
【図４】
2011174923.tif 000015
【図５】
2011174923.tif 000016
【図６】
2011174923.tif 000017
【図７】
2011174923.tif 000018
【図８】
2011174923.tif 000019
【図９】
2011174923.tif 000020